(57)【要約】【目的】簡単に取り付け、再利用することができ、トンネル照明灯具の落下を防止することができ、清掃作業を自動化することができ、しかも安価にする。【構成】トンネルの壁面Ｃに設けられた取付金具３００に取り付けられるトンネル照明灯具Ｂの落下を防止するトンネル照明灯具用落下防止具であり、トンネル照明灯具Ｂを跨ぐことができる略凹字形状の防止具本体１００と、防止具本体１００に設けられる押さえ部材２００とを備え、防止具本体１００の両端部には、取付金具３００に引っかけられるフック部１１１が形成されており、押さえ部材２００は、フック部１１１を取付金具３００に引っかけた場合、トンネル照明灯具Ｂの灯具本体４００の前面に当接するようになっている。【選択図】　　　図２
2004063424.tif 000002
【特許請求の範囲】
【請求項１】
トンネルの壁面に設けられた取付金具に取り付けられるトンネル照明灯具の落下を防止するトンネル照明灯具用落下防止具において、トンネル照明灯具を跨ぐことができる略凹字形状の防止具本体と、この防止具本体に設けられる押さえ部材とを具備しており、前記防止具本体の両端部には、前記取付金具に引っかけられるフック部が形成されており、前記押さえ部材は、前記フック部を取付金具に引っかけた場合、トンネル照明灯具の前面に当接することを特徴とするトンネル照明灯具用落下防止具。
【請求項２】
前記防止具本体は、先端がフック部となった一対の垂直部と、この垂直部の間にある水平部とからなり、前記垂直部は略く字形状に屈曲されていることを特徴とする請求項１記載のトンネル照明灯具用落下防止具。
【請求項３】
前記押さえ部材は、前記防止具本体に挿通させることができる筒形状に形成されていることを特徴とする請求項１又は２記載のトンネル照明灯具用落下防止具。
【請求項４】
前記押さえ部材は、トンネル照明灯具の透光板と、この透光板が取り付けられる灯具本体とのうちいずれか一方又は両方に当接することを特徴とする請求項１、２又は３記載のトンネル照明灯具用落下防止具。
【請求項５】
前記押さえ部材は、トンネル照明灯具の透光板を傷つけない柔軟性素材から構成されていることを特徴とする請求項１、２、３又は４記載のトンネル照明灯具用落下防止具。
【発明の詳細な説明】
【０００１】
【発明の属する技術分野】
本発明は、トンネル照明灯具用落下防止具に関する。
【０００２】
【従来の技術】
例えば、高速道路のトンネル内に設置されているトンネル照明灯具は、通行車両の排気ガスや冬季の路面の凍結を防止するために散布される凍結防止剤により、腐食することがある。特に、１０年以上も使用しているトンネル照明灯具であると、その腐食は激しいものとなっている。
【０００３】
かかる腐食があると、なんらかの要因でトンネル照明灯具が落下するおそれがある。トンネル照明灯具の落下は、重大な交通事故の原因になりかねないので、トンネル照明灯具の落下を防止するため、トンネル照明灯具と取付金具との間をワイヤーや針金で結び付けるという手法が取られていた。
【０００４】
トンネル照明灯具の不用意な落下を防止するために、上述したワイヤー等を利用した手法が取られていた。
【０００５】
【発明が解決しようとする課題】
しかしながら、上述した従来のワイヤー等を利用したものであれば、ワイヤー等に緩みがあるため、トンネル照明灯具の清掃作業が自動化できないという問題が生じる。すなわち、トンネル照明灯具の清掃作業は、回転する洗浄ブラシを備えた作業車で行っていたため、ワイヤー等を利用したものであれば、ワイヤー等が洗浄ブラシに絡まるおそれがある。このため、清掃作業が自動化できないのである。よって、ワイヤー等を利用して落下防止を図ったトンネル照明灯具の清掃作業は、作業員の手作業によるか、取付金具から一度取り外してから行っているのが現状である。
【０００６】
かかる作業員による清掃作業や一旦取り外しての清掃作業は、交通規制を行わなければならないため非常に手間のかかるものとなっていた。
【０００７】
また、ワイヤー等を利用したものは約高価なものであると同時に再利用が困難であり、取り付けにも時間がかかっていた。
【０００８】
本発明は上記事情に鑑みて創案されたものであって、簡単に取り付け、再利用することができ、トンネル照明灯具の落下を防止することができ、清掃作業を自動化することができ、しかも安価なトンネル照明灯具用落下防止具を提供することを目的としている。
【０００９】
【課題を解決するための手段】
本発明に係るトンネル照明灯具用落下防止具は、トンネルの壁面に設けられた取付金具に取り付けられるトンネル照明灯具の落下を防止するトンネル照明灯具用落下防止具であって、トンネル照明灯具を跨ぐことができる略凹字形状の防止具本体と、この防止具本体に設けられる押さえ部材とを備えており、前記防止具本体の両端部には、前記取付金具に引っかけられるフック部が形成されており、前記押さえ部材は、前記フック部を取付金具に引っかけた場合、トンネル照明灯具の前面に当接し、容易に取り付け、再利用することができるようになっている。
【００１０】
【発明の実施の形態】
図１は本発明の実施の形態に係るトンネル照明灯具用落下防止具の概略的斜視図、図２は本発明の実施の形態に係るトンネル照明灯具用落下防止具をトンネル照明灯具に取り付けた状態を示す概略的斜視図、図３は本発明の実施の形態に係るトンネル照明灯具用落下防止具を構成する押さえ部材とトンネル照明灯具の前面との関係を示す概略的斜視図である。
【００１１】
本発明の実施の形態に係るトンネル照明灯具用落下防止具Ａは、トンネルの壁面Ｃに設けられた取付金具３００に取り付けられるトンネル照明灯具Ｂの落下を防止するトンネル照明灯具用落下防止具であって、トンネル照明灯具Ｂを跨ぐことができる略凹字形状の防止具本体１００と、この防止具本体１００に設けられる押さえ部材２００とを備えており、前記防止具本体１００の両端部には、前記取付金具３００に引っかけられるフック部１１１が形成されており、前記押さえ部材２００は、前記フック部１１１を取付金具３００に引っかけた場合、トンネル照明灯具Ｂの灯具本体４００の前面に当接するようになっている。
【００１２】
まず、トンネル照明灯具用落下防止具Ａの説明の前にトンネル照明灯具Ｂについて図２を参照しつつ説明する。
この種のトンネル照明灯具Ｂは、弁当箱状の灯具本体４００と、この灯具本体４００の内部に設置されるナトリウムランプ等の光源（図示省略）と、灯具本体４００の前面側の開口４１１を覆う透光性を有するガラス板等からなる透光板４３０と、灯具本体４００をトンネルの壁面Ｃの取付金具３００に取り付けるための取付部４４０とを有している。
【００１３】
前記灯具本体４００は、弁当箱の蓋に相当する蓋体４１０と、この蓋体４１０が取り付けられるベース部４２０とからなり、両者間は図示しないヒンジで連結されている。従って、蓋体４１０は、ベース部４２０に対して開閉可能になっていることになる。前記蓋体４１０は、図示しないラッチ等の係合部材によって、ベース部４２０を閉じた状態を維持する。
【００１４】
前記蓋体４１０には、開口４１１が設けられている。この蓋体４１０は、蓋体４１０の裏面側からボルト等によって固定された透光板４３０が取り付けられている。従って、透光板４３０は、蓋体４１０から開口４１１から若干奥まった場所に位置していることになる。
【００１５】
前記取付金具３００は、トンネルの壁面Ｃにアンカーボルト（図示省略）で取り付けられており、先端部３１０は前記取付部４４０に対応して略Ｌ字形状に屈曲されている。この先端部３１０には、取付部４４０に設けられたボルト孔（図示省略）に対応するボルト孔（図示省略）が設けられており、両ボルト孔に挿通されたボルト４５０にナット（図示省略）を裏側から螺合させることで、トンネル照明灯具Ｂがトンネルの壁面Ｃに取り付けられている。
【００１６】
一方、前記トンネル照明灯具用落下防止具Ａを構成する防止具本体１００は、防食性に優れたステンレス線材（例えば、直径５ｍｍ）から構成される。かかる防止具本体１００は、全体が略凹字形状に形成されている。先端が折り曲げられたフック部１１１として垂直部１１０は、トンネル照明灯具Ｂの灯具本体４００の高さ寸法に合わせる。また、両端の垂直部１１０の間にある水平部１２０の長さは、トンネル照明灯具Ｂの灯具本体４００の幅寸法に合わせる。
【００１７】
なお、前記垂直部１１０は、図１に示すように、略く字形状に屈曲している。この略く字形状の屈曲は、垂直部１１０のヤング率を高めるとともに、振動を吸収するためのものである。
【００１８】
また、前記垂直部１１０の先端は屈曲形成されて、取付金具３００の先端部３１０の幅寸法より大きな幅寸法を有するフック部１１１となっている。このフック部１１１が、取付金具３００の先端部３１０に引っかけられると、前記水平部１２０は、トンネル照明灯具Ｂの透光板４３０を横切るようになっている。この際、透光板４３０と水平部１２０との間の隙間の寸法は、後述する押さえ部材２００の周壁部２１０の厚さ寸法より若干小さくなるように設定されている。
【００１９】
さらに、前記押さえ部材２００は、ゴム等の柔軟性素材からなり、全体として円筒形状に形成されている。すなわち、線材からなる防止具本体１００に挿通させることで防止具本体１００に取り付けられるようになっているのである。また、この押さえ部材２００の長さ寸法は、取り付けた場合、灯具本体４００の蓋体４１０に当接することができるように設定されている。
【００２０】
この押さえ部材２００の周壁部２１０の厚さ寸法は、透光板４３０と水平部１２０との間の隙間の寸法より若干大きく設定されているので、防止具本体１００がトンネル照明灯具Ｂに取り付けられると、押さえ部材２００が透光板４３０及び灯具本体４００の蓋体４１０の両方に密着することになる。
【００２１】
防止具本体１００には、かかる押さえ部材２００が２つ挿通されている。従って、一方の押さえ部材２００は透光板４３０の上縁部において、他方の押さえ部材２００は透光板４３０の下縁部においてそれぞれ灯具本体４００の蓋体４１０に当接することになる。
【００２２】
上述した構成のトンネル照明灯具用落下防止具Ａは、以下のようにしてトンネル照明灯具Ｂに取り付けられる。
まず、２つの押さえ部材２００を防止具本体１００の水平部１２０の両縁部より、蓋体４１０の縁部から透光板４３０までの距離に相当する寸法だけ離して取り付ける。かかる防止具本体１００の垂直部１１０の一方のフック部１１１を一方の取付金具３００の先端部３１０に引っかける。さらに、他方のフック部１１１を他方の取付金具３００の先端部３１０に引っかける。
【００２３】
このようにすると、トンネル照明灯具Ｂは、ボルト４５０及びナットのみならず、トンネル照明灯具用落下防止具Ａによっても取付金具３００に連結されていることになる。このため、取付金具３００によってトンネル照明灯具Ｂは落下することはない。
【００２４】
なお、トンネル照明灯具用落下防止具Ａをトンネル照明灯具Ｂに取り付けた状態で、取付金具３００と取付部４４０とを連結するボルト４５０及びナットを取り外しても、トンネル照明灯具Ｂが落下することがないことを実験において確認している。
【００２５】
このようにすると、トンネル照明灯具Ｂの透光板４３０とトンネル照明灯具用落下防止具Ａとの間には、押さえ部材２００の周壁部２１０の厚さ寸法より若干小さい隙間があるに過ぎないため、従来の回転する洗浄ブラシを備えた作業車による清掃作業を行って、洗浄ブラシが絡まるおそれはないため、清掃作業の自動化を図ることができる
【００２６】
なお、上述した説明では、トンネル照明灯具用落下防止具Ａは、すでに取付金具３００に取り付けられたトンネル照明灯具Ｂに適用されるものとしたが、トンネル照明灯具Ｂを取付金具３００に取り付ける際の仮止めを行うものとして利用することができる。
【００２７】
すなわち、トンネル照明灯具用落下防止具Ａによってトンネル照明灯具Ｂを取付金具３００に仮止めした後、取付金具３００とトンネル照明灯具Ｂの取付部４４０とにボルトを挿通してナットを螺合させるのである。このように、トンネル照明灯具Ｂの仮止めに使用すると、仮止めした後、ボルト止めする間はトンネル照明灯具用落下防止具Ａによってトンネル照明灯具Ｂが取付金具３００に固定されるので、トンネル照明灯具Ｂを支えることなくボルト止め作業を行うことができ、トンネル照明灯具Ｂの取付作業が容易になる。トンネル照明灯具Ｂを取付金具３００に取り付けた後は、トンネル照明灯具用落下防止具Ａをそのままにしておけば、トンネル照明灯具Ｂの落下防止という機能を発揮することができる。
【００２８】
このトンネル照明灯具用落下防止具Ａの取付位置は、取付金具３００の位置、すなわちトンネル照明灯具Ｂの取付部４４０の位置に従う。一般的に、取付部４４０は、トンネル照明灯具Ｂの灯具本体４００の四隅に設けられるので、トンネル照明灯具用落下防止具Ａを取り付けても、透光板４３０の端部に位置するので、トンネル照明灯具Ｂとしての機能を損なうことがない。
【００２９】
例えば、トンネル照明灯具Ｂが４つの取付金具３００で取り付けられるものであると、２つのトンネル照明灯具用落下防止具Ａが必要になる。また、６つの取付金具３００で取り付けられるトンネル照明灯具Ｂであると、３つのトンネル照明灯具用落下防止具Ａが必要になる。
【００３０】
なお、上述した説明では、押さえ部材２００は略円筒形状であるとしたが、筒状であれば、角筒状等の他の形状であってもよいことはいうまでもない。
【００３１】
また、上述した説明では、防止具本体１１０は線材からなるとしたが、防食性に優れた素材であれば、板材を凹字形状に折曲形成したものであってもよい。ただし、この場合は、フック部は、打抜き加工等で形成する必要がある。この点からすると、防止具本体１１０は、単に屈曲させるだけでフック部１１１を形成することができる線材で構成する方がコスト的にメリットがある。
【００３２】
さらに、上述した説明では、押さえ部材２００は、灯具本体４００の蓋体４１０にのみ当接するとしたが、透光板４３０のみに当接してもよいし、透光板４３０及び前記蓋体４１０の両方に当接してもよい。
【００３３】
押さえ部材２００が透光板４３０にのみ当接する場合には、防止具本体１００の水平部１２０と灯具本体４００の蓋体４１０との間の隙間をより小さくすることができるので、洗浄ブラシを備えた作業車による清掃作業の際に、洗浄ブラシが防止具本体１００にからまるおそれが最小になる。また、押さえ部材２００が、灯具本体４００の蓋体４１０と透光板４３０との両方に当接するようにしておくと、透光板４３０の振動をも防止することができる。
【００３４】
【発明の効果】
本発明に係るトンネル照明灯具用落下防止具は、トンネルの壁面に設けられた取付金具に取り付けられるトンネル照明灯具の落下を防止するトンネル照明灯具用落下防止具であって、トンネル照明灯具を跨ぐことができる略凹字形状の防止具本体と、この防止具本体に設けられる押さえ部材とを備えており、前記防止具本体の両端部には、前記取付金具に引っかけられるフック部が形成されており、前記押さえ部材は、前記フック部を取付金具に引っかけた場合、トンネル照明灯具の前面に当接するようになっている。
【００３５】
このため、かかるトンネル照明灯具用落下防止具によると、単に防止具本体のフック部を取付金具に引っかけるだけで、きわめて簡単にトンネル照明灯具の落下を防止することができる。しかも取り付けが非常に容易であり、繰り返し再利用することができる。また、押さえ部材がトンネル照明灯具の前面に当接するようになっているため、防止具本体とトンネル照明灯具との間の隙間を小さくすることができるため、従来の回転する洗浄ブラシを備えた作業車による清掃作業の自動化を図ることができる。さらに、このトンネル照明灯具用落下防止具であると、従来のものに比較して安価になる。
【００３６】
また、前記防止具本体は、先端がフック部となった一対の垂直部と、この垂直部の間にある水平部とからなり、前記垂直部は略く字形状に屈曲されている。
【００３７】
このため、垂直部のヤング率が高くなると同時に、振動を吸収することが可能となる。
【００３８】
また、前記押さえ部材は、前記防止具本体に挿通させることができる筒形状に形成されていると、防止具本体をトンネル照明灯具に取り付けるだけで、押さえ部材がトンネル照明灯具の前面に当接するので、後付けで押さえ部材を防止具本体に取り付ける必要がなく便利である。
【００３９】
さらに、前記押さえ部材は、トンネル照明灯具の透光板と、この透光板が取り付けられる灯具本体とのうちいずれか一方又は両方に当接している。
【００４０】
このため、押さえ部材が灯具本体にのみ当接している場合には、灯具本体に傷が付かない。また、押さえ部材が透光板にのみ当接している場合には、透光板への傷付きが防止されるとともに、防止具本体の水平部と灯具本体の蓋体との間の隙間をより小さくすることができるので、洗浄ブラシを備えた作業車による清掃作業の際に、洗浄ブラシが防止具本体にからまるおそれが最小になる。さらに、押さえ際が灯具本体と透光板との両方に当接するようにしておくと、両者の傷付きが防止されるとともに、透光板の振動をも防止することができる。
【００４１】
また、前記押さえ部材が、トンネル照明灯具の透光板を傷つけない柔軟性素材から構成されていると、押さえ部材が透光板に当接している場合、トンネル照明灯具が通行する車両によって振動しても、透光板を傷つけることがないというメリットがある。
【図面の簡単な説明】
【図１】本発明の実施の形態に係るトンネル照明灯具用落下防止具の概略的斜視図である。
【図２】本発明の実施の形態に係るトンネル照明灯具用落下防止具をトンネル照明灯具に取り付けた状態を示す概略的斜視図である。
【図３】本発明の実施の形態に係るトンネル照明灯具用落下防止具を構成する押さえ部材とトンネル照明灯具の前面との関係を示す概略的斜視図である。
【符号の説明】
１００　　防止具本体
１１１　　フック部
２００　　押さえ部材
３００　　取付金具
Ａ　　　　トンネル照明灯具用落下防止具
Ｂ　　　　トンネル照明灯具
Ｃ　　　　トンネルの壁面
【図１】
2004063424.tif 000003
【図２】
2004063424.tif 000004
【図３】
2004063424.tif 000005